(57)【要約】      （修正有）【課題】配電系統データベース更新中に発生する配電系統事故や系統状態変化に対する系統運用者による迅速な対処を可能にし、系統運用効率の向上及び供給信頼度の向上を図る。【解決手段】配電系統に変更が生じた場合、変更対象設備情報と、変更される前の状態の配電系統データベースとから当該配電設備の所属する配電線を抽出し、監視対象から除外する除外中配電線情報として記憶し、変更対象設備情報に基づいて配電系統データベースの更新を開始し、配電系統データベースの更新中に配電系統事故あるいは状態変化が発生した場合、現場状態情報により現場状態に変化の生じた設備の所属する配電線を求め、配電線が前記除外中配電線として管理されているか否かを判定し、管理されていない場合監視可能との判定結果を出力し、前記現場状態情報を前記配電系統データベースを参照して配電系統状態としてマンマシンインターフェースに通知する。【選択図】図１
2005102448.tif 000002
【特許請求の範囲】
【請求項１】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御方法において、
配電系統を構成する任意の配電設備に変更が生じた場合、当該配電設備の変更によって生じた変更対象設備情報と、当該配電設備が変更される前の状態の配電系統データベースとから当該配電設備の所属する配電線を抽出し、
この抽出された配電線に関する情報を監視あるいは制御対象から除外する除外中配電線情報として記憶保持し、
この除外中配電線情報が記憶保持された後に、前記変更対象設備情報に基づいて前記配電系統データベースの更新を開始し、
この配電系統データベースの更新中に配電系統事故あるいは配電系統状態変化が発生した場合、現場状態情報により現場状態に変化の生じた設備の所属する配電線を求め、この求めた配電線が前記除外中配電線として管理されているか否かを判定し、除外中配電線として管理されていない場合監視可能との判定結果を出力し、
この監視可能との判定結果を受けて、前記現場状態情報を前記配電系統データベースを参照して配電系統状態としてマンマシンインターフェースに通知し、監視するようにしたことを特徴とする配電系統自動監視制御方法。
【請求項２】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、
配電系統を構成する任意の配電設備に変更が生じた場合、当該配電設備の変更によって生じた変更対象設備情報と、当該配電設備が変更される前の状態の配電系統データベースとから当該配電設備の所属する配電線を抽出する配電線抽出手段と、
この配電線抽出手段により抽出された配電線に関する情報を監視あるいは制御対象から除外する除外中配電線情報として記憶保持させる配電線記憶手段と、
この除外中配電線情報が記憶保持された後に、前記変更対象設備情報に基づいて前記配電系統データベースの更新を開始するデータベース更新手段と、
この配電系統データベースの更新中に配電系統事故あるいは配電系統状態変化が発生した場合、現場状態情報により現場状態に変化の生じた設備の所属する配電線を求め、この求められた配電線が前記除外中配電線として管理されているか否かを判定し、除外中配電線として管理されていない場合監視可能との判定結果を出力する除外中配電線判定手段と、
当該配電設備からの現場状態情報を前記除外中配電線判定手段に要求し、当該除外中配電線判定手段の判定結果が監視可能な場合、前記現場状態情報を前記配電系統データベースを参照してマンマシンインターフェースに通知する監視手段と、
前記監視手段の現在状態に応じて現場の配電系統を操作するために前記除外中配電線判定手段で判定された除外中配電線を除いて配電系統を操作する制御手段と、
を備えたことを特徴とする配電系統自動監視制御システム。
【請求項３】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、
配電系統を構成する任意の配電設備に変更が生じた場合、当該配電設備の変更によって生じた変更対象設備情報と、当該配電設備が変更される前の状態の配電系統データベースとから当該配電設備の所属する区間を抽出する区間抽出手段と、
この区間抽出手段により抽出された区間に関する情報を監視あるいは制御対象から除外する除外中区間情報として記憶保持させる区間記憶手段と、
この除外中区間情報が記憶保持された後に、前記変更対象設備情報に基づいて前記配電系統データベースの更新を開始するデータベース更新手段と、
この配電系統データベースの更新中に配電系統事故あるいは配電系統状態変化が発生した場合、現場状態情報により現場状態に変化の生じた設備の所属する区間を求め、この求められた区間が前記除外中区間として管理されているか否かを判定し、除外中区間として管理されていない場合監視可能との判定結果を出力する除外中区間判定手段と、
当該配電設備からの現場状態情報を前記除外中区間判定手段に要求し、当該除外中区間判定手段の判定結果が監視可能な場合、前記現場状態情報を前記配電系統データベースを参照してマンマシンインターフェースに通知する監視手段と、
前記監視手段の現在状態に応じて現場の配電系統を操作するために前記除外中区間判定手段で判定された除外中区間を除いて配電系統を操作する制御手段と、
を備えたことを特徴とする配電系統自動監視制御システム。
【請求項４】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、
配電系統を構成する任意の配電設備に変更が生じた場合、当該配電設備の変更によって生じた変更対象設備情報及び監視・制御に影響する設備を登録した監視・制御影響判定情報から当該設備が監視・制御に影響する設備か否かを判定し抽出する影響設備抽出手段と、
前記影響設備抽出手段で抽出された設備に関する情報を記憶保持させる影響設備記憶手段と、
この抽出された設備に関する情報が記憶保持された後に、前記変更対象設備情報に基づいて前記配電系統データベースを更新するデータベース更新手段と、
この配電系統データベースの更新中に配電系統事故あるいは配電系統状態変化が発生した場合、現場状態情報を要求され、当該現場状態に変化の生じた設備が前記影響設備記憶手段によって記憶された設備であるか否かを判定する除外中設備判定手段と、
当該配電設備からの現場状態情報を入力し配電系統データベースを参照して前記除外中設備判定手段で判定された除外中設備を除いて現在の配電系統状態をマンマシンインターフェースに通知する監視手段と、
前記監視手段の現在状態に応じて現場の配電系統を操作するために前記除外中設備判定手段で判定された除外中設備を除いて配電系統を操作する制御手段と、
を備えたことを特徴とする配電系統自動監視制御システム。
【請求項５】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、
配電系統を構成する任意の配電設備に変更が生じた場合、当該配電設備の変更によって生じた変更対象設備情報及び当該配電設備が変更される前の状態の配電系統データベースから当該配電設備の所属する配電線を抽出する配電線抽出手段と、
前記変更対象設備の変更によって生じた変更対象設備情報、監視・制御に影響する設備を登録した監視・制御影響判定情報及び当該配電設備が変更される前の状態の配電系統データベースから当該設備が監視・制御に影響する設備か否かを判定し抽出する影響設備抽出手段と、
前記配電線抽出手段にて抽出された配電線及び前記影響設備抽出手段にて抽出された設備から影響配電線のみを抽出する影響配電線抽出手段と、
前記影響配電線抽出手段で抽出された配電線を除外中配電線として記憶保持させる配電線記憶手段と、
この除外中配電線が記憶保持された後に、前記変更対象設備情報に基づいて前記配電系統データベースの更新を開始するデータベース更新手段と、
この配電系統データベースの更新中に配電系統事故あるいは配電系統状態変化が発生した場合、現場状態情報により現場状態に変化の生じた設備の所属する配電線を求め、この求めた配電線が除外中配電線情報で管理されている配電線であるか否かを判定し、除外配電線として管理されていない場合監視可能との判定結果を出力する除外中配電線判定手段と、
当該配電設備からの現場状態情報を前記除外中配電線判定手段に要求し、当該除外中配電線判定手段の判定結果が監視可能な場合、前記現場状態情報を前記配電系統データベースを参照してマンマシンインターフェースに通知する監視手段と、
前記監視手段の現在状態に応じて現場の配電系統を操作するために前記除外中配電線判定手段で判定された除外中配電線を除いて配電系統を操作する制御手段と、
を備えたことを特徴とする配電系統自動監視制御システム。
【請求項６】
配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、
配電系統を構成する任意の配電設備に変更が生じた場合、当該配電設備の変更によって生じた変更対象設備情報及び当該配電設備が変更される前の状態の配電系統データベースから当該配電設備の所属する区間を抽出する区間抽出手段と、
前記変更対象の配電設備の変更によって生じた変更対象設備情報、監視・制御に影響する設備を登録した監視・制御影響判定情報及び当該配電設備が変更される前の状態の配電系統データベースから当該設備が監視・制御に影響する設備か否かを判定し抽出する影響設備抽出手段と、
前記区間抽出手段にて抽出された区間及び前記影響設備抽出手段にて抽出された設備から影響区間のみを抽出する影響区間抽出手段と、
前記影響区間抽出手段で抽出された区間を除外中区間として記憶保持させる区間記憶手段と、
この除外中区間が記憶保持された後に、前記変更対象設備情報に基づいて前記配電系統データベースの更新を開始するデータベース更新手段と、
この配電系統データベースの更新中に配電系統事故あるいは配電系統状態変化が発生した場合、現場状態情報により現場状態に変化の生じた設備の所属する区間を求め、この求めた区間が除外中区間情報で管理されている区間であるか否かを判定し、除外区間として管理されていない場合監視可能との判定結果を出力する除外中区間判定手段と、
当該配電設備からの現場状態情報を前記除外中区間判定手段に要求し、当該除外中区間判定手段の判定結果が監視可能な場合、前記現場状態情報を前記配電系統データベースを参照してマンマシンインターフェースに通知する監視手段と、
前記監視手段の現在状態に応じて現場の配電系統を操作するために前記除外中区間判定手段で判定された除外中区間を除いて配電系統を操作する制御手段と、
を備えたことを特徴とする配電系統自動監視制御システム。
【請求項７】
配電系統データベース更新中の監視除外とした除外中配電線に対する監視情報を抽出する除外中配電線監視情報抽出手段と、
前記除外中配電線監視情報抽出手段で抽出された監視情報を記憶保持させる除外中配電線監視情報記憶手段と、
前記除外中配電線監視情報記憶手段にて記憶された情報から配電系統データベース更新後に監視可能な情報を解析する除外中配電線監視解析手段と、
前記除外中配電線監視解析手段で監視可能とした監視情報の監視を行う除外中配電線監視手段と、
配電系統データベース更新中の制御除外とした除外中配電線に対する制御情報を抽出する除外中配電線制御情報抽出手段と、
前記除外中配電線制御情報抽出手段で抽出された制御情報を記憶保持させる除外中配電線制御情報記憶手段と、
前記除外中配電線制御情報記憶手段にて記憶された情報から配電系統データベース更新後に制御可能な情報を解析する除外中配電線制御解析手段と、
前記除外中配電線制御解析手段で制御可能とした制御情報の制御を行う除外中配電線制御手段と、
を備えたことを特徴とする請求項５記載の配電系統自動監視制御システム。
【請求項８】
配電系統データベース更新中の監視除外とした除外中区間に対する監視情報を抽出する除外中区間監視情報抽出手段と、
前記除外中区間監視情報抽出手段で抽出された監視情報を記憶する除外中区間監視情報記憶手段と、
前記除外中区間監視情報記憶手段にて記憶した情報から配電系統データベース更新後に監視可能な情報を解析する除外中区間監視解析手段と、
前記除外中区間監視解析手段で監視可能とした監視情報の監視を行う除外中区間監視手段と、
配電系統データベース更新中の制御除外とした除外中区間に対する制御情報を抽出する除外中区間制御情報抽出手段と、
前記除外中区間制御情報抽出手段で抽出された制御情報を記憶する除外中区間制御情報記憶手段と、
前記除外中区間制御情報記憶手段にて記憶した情報から配電系統データベース更新後に制御可能な情報を解析する除外中区間制御解析手段と、
前記除外中区間制御解析手段で制御可能とした制御情報の制御を行う除外中区間制御手段と、
を備えたことを特徴とする請求項６記載の配電系統自動監視制御システム。
【発明の詳細な説明】
【技術分野】
【０００１】
本発明は、配電系統を監視あるいはその監視結果に基づいて制御する配電系統自動監視制御方法及びそのシステムに係り、特に配電系統データベース更新中に配電系統を監視あるいはその監視結果に基づいて制御するようにした配電系統自動監視制御方法及びそのシステムに関する。
【背景技術】
【０００２】
従来の配電系統自動監視制御システムは、配電系統を構成する変電所の出口遮断器、高圧線、柱上開閉器などを始めとする種々の配電設備及びその接続状態も含めた各種情報を配電系統データベースとして有しており、このデータベースを参照して配電系統の現在系統状態の監視あるいはその監視結果をもとに各種配電設備を制御するものである。
【０００３】
この配電系統自動監視制御システムで監視あるいは監視制御の対象となる配電系統を構成する配電設備の数量は膨大である。しかも、配電系統に設置した配電設備は新たな電力需要の発生、設備維持、事故の復旧など様々な事由によって日常的に新設、撤去、変更が実施されるため、その新設、撤去、変更に合わせて配電系統を監視あるいは監視制御のために必要な配電系統データベースも日常的に更新することになる。なお、本発明では配電系統の新設、撤去、変更を総称して、以下単に変更と称する。
【０００４】
配電系統データベースの更新は、配電系統自動監視制御システムのオンライン運転を継続しながら行うのが一般的であり、その更新中は配電系統を構成する変電所の出口遮断器、高圧線、柱上開閉器などを始めとする種々の設備及びその接続状態も含めた各種情報を更新している。
【０００５】
この更新中に配電系統事故などの事象が発生した場合、配電系統の検索などに支障があるため、その間、当該システムが受け持つ全ての配電系統の監視あるいはその監視結果に基づいて各種配電設備を制御することが一時的にできなくなる（例えば、下記特許文献１または特許文献２参照）。
【０００６】
次に、図１７に示す構成図を用いて従来の配電系統自動監視制御システムにおける配電系統データベース更新中の監視あるいはその監視結果に基づく各種配電設備の制御について説明する。
【０００７】
なお、図１７中、符号１７、１８及び３３で指す記号は、ＪＩＳ情報処理用流れ図記号と同じオンラインデータ記憶部であり、記号中には記憶されるデータ名を記載している。本明細書においては、説明の便宜上それぞれのオンラインデータ記憶部と、そこに記憶されているデータとを区別することなく同じ符号を使用している。
【０００８】
図１７において、配電系統を構成する現場の配電設備に変更が生じた場合、その配電設備の変更に合わせて配電系統自動監視制御システムの配電系統データベースの更新を行う。その際、データベース更新手段１３は配電系統の変更後の変更対象設備を示す変更対象設備情報１７に基づいて配電系統データベース群１８を更新する前に、データベース更新状況記憶部３３へデータベース更新中であることを表す情報を保存し、その後に配電系統データベース群１８の更新を行う。この配電系統データベース群１８の更新が終了するとデータベース更新状況記憶部３３へデータベース更新完了情報を保存し処理を終了する。
【０００９】
配電系統データベース群１８を更新していない時に、配電系統に配電系統事故あるいは配電系統状態変化が発生した場合、配電系統状態情報入出力装置２１から現場状態情報を入力した監視手段１５は、データベース更新状況記憶部３３のデータを参照しデータベース更新中か否かを判定する。
【００１０】
この判定の結果、データベースの更新が完了していれば現場状態情報により配電系統データベース群１８を参照して配電系統状態を更新する。そして、その更新内容をマンマシンインターフェース装置２０の表示装置に表示し、オペレータに通知する。
【００１１】
オペレータはこの表示内容を見て当該マンマシンインターフェース装置２０から制御手段１６に操作指令を与え、配電系統状態情報入出力装置２１を介して現場の配電設備を制御し、自動融通等を実施する。
【００１２】
一方、配電系統データベース群１８の更新中に配電系統事故あるいは配電系統状態変化が発生した場合、配電系統状態情報入出力装置２１から現場状態情報を入力した監視手段１５は、データベース更新状況記憶部３３のデータを参照してデータベースの更新中か否かを判定する。
【００１３】
監視手段１５は、データベース更新中と判定した場合、全配電系統を監視不可とし、配電系統状態情報入出力装置２１から入力される現場状態情報を処理せず、しかも配電系統状態をマンマシンインターフェース装置２０の表示画面等を介してオペレータへ通知することもしない。
【００１４】
さらに、監視手段１５が配電系統状態情報入出力装置２１からの現場状態情報を処理しないことにより、配電系統で配電系統事故あるいは配電系統状態変化が発生したとしても、その状態変化を現在の配電系統状態に反映しないため、制御手段１６による現場の配電設備に対する制御も実施されない。
【特許文献１】特開２００１−１１２１７３号公報（第３頁）
【特許文献２】特開平１１−２９９１０１号公報（第２頁）
【発明の開示】
【発明が解決しようとする課題】
【００１５】
以上述べたように、配電系統データベースの更新中には、配電系統自動監視制御システムが受け持つ全ての配電系統の監視あるいはその監視結果に基づいて各種配電設備を制御することができない。このため、日常的に行われる配電系統データベース更新中に配電系統事故や系統状態変化が発生した場合、配電系統を監視あるいは監視制御することができない状況になり、系統運用者によって迅速な対処ができず、系統運用効率の低下や供給信頼度の低下を招く惧れがある。
【００１６】
なお、配電系統を構成する変電所の出口遮断器や高圧線、あるいは柱上開閉器などを始めとする種々の配電設備及びその接続状態も含めた各種情報の更新は一部の配電線、区間、設備に限定されていることが多く、更新中であるからといって全ての配電系統の監視あるいはその監視結果に基づいて各種配電設備の制御を行わないようにする必要はない。
【００１７】
そこで、本発明の目的とするところは、配電系統データベースを更新する一部の配電線、区間、設備等を除く配電系統の監視あるいはその監視結果に基づく各種配電設備の制御を可能とすることにより、配電系統データベース更新中に配電系統事故や系統状態変化が発生したとしても、それに対する系統運用者の迅速な対処を可能にし、系統運用効率の向上及び供給信頼度の向上を図ることのできる配電系統自動監視制御システムを提供することにある。
【課題を解決するための手段】
【００１８】
上記の目的を達成するため、請求項１に係る配電系統自動監視制御方法の発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御方法において、配電系統を構成する任意の配電設備に変更が生じた場合、当該配電設備の変更によって生じた変更対象設備情報と、当該配電設備が変更される前の状態の配電系統データベースとから当該配電設備の所属する配電線を抽出し、この抽出された配電線に関する情報を監視あるいは制御対象から除外する除外中配電線情報として記憶保持し、この除外中配電線情報が記憶保持された後に、前記変更対象設備情報に基づいて前記配電系統データベースの更新を開始し、
この配電系統データベースの更新中に配電系統事故あるいは配電系統状態変化が発生した場合、現場状態情報により現場状態に変化の生じた設備の所属する配電線を求め、この求めた配電線が前記除外中配電線として管理されているか否かを判定し、除外中配電線として管理されていない場合監視可能との判定結果を出力し、この監視可能との判定結果を受けて、前記現場状態情報を前記配電系統データベースを参照して配電系統状態としてマンマシンインターフェースに通知し、監視するようにしたことを特徴とする。
【００１９】
また、請求項２に係る配電系統自動監視制御システムの発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、配電系統を構成する任意の配電設備に変更が生じた場合、当該配電設備の変更によって生じた変更対象設備情報と、当該配電設備が変更される前の状態の配電系統データベースとから当該配電設備の所属する配電線を抽出する配電線抽出手段と、この配電線抽出手段により抽出された配電線に関する情報を監視あるいは制御対象から除外する除外中配電線情報として記憶保持させる配電線記憶手段と、この除外中配電線情報が記憶保持された後に、前記変更対象設備情報に基づいて前記配電系統データベースの更新を開始するデータベース更新手段と、この配電系統データベースの更新中に配電系統事故あるいは配電系統状態変化が発生した場合、現場状態情報により現場状態に変化の生じた設備の所属する配電線を求め、この求められた配電線が前記除外中配電線として管理されているか否かを判定し、除外中配電線として管理されていない場合監視可能との判定結果を出力する除外中配電線判定手段と、当該配電設備からの現場状態情報を前記除外中配電線判定手段に要求し、当該除外中配電線判定手段の判定結果が監視可能な場合、前記現場状態情報を前記配電系統データベースを参照してマンマシンインターフェースに通知する監視手段と、前記監視手段の現在状態に応じて現場の配電系統を操作するために前記除外中配電線判定手段で判定された除外中配電線を除いて配電系統を操作する制御手段と、を備えたことを特徴とする。
【００２０】
また、請求項３に係る配電系統自動監視制御システムの発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、配電系統を構成する任意の配電設備に変更が生じた場合、当該配電設備の変更によって生じた変更対象設備情報と、当該配電設備が変更される前の状態の配電系統データベースとから当該配電設備の所属する区間を抽出する区間抽出手段と、この区間抽出手段により抽出された区間に関する情報を監視あるいは制御対象から除外する除外中区間情報として記憶保持させる区間記憶手段と、
この除外中区間情報が記憶保持された後に、前記変更対象設備情報に基づいて前記配電系統データベースの更新を開始するデータベース更新手段と、この配電系統データベースの更新中に配電系統事故あるいは配電系統状態変化が発生した場合、現場状態情報により現場状態に変化の生じた設備の所属する区間を求め、この求められた区間が前記除外中区間として管理されているか否かを判定し、除外中区間として管理されていない場合監視可能との判定結果を出力する除外中区間判定手段と、当該配電設備からの現場状態情報を前記除外中区間判定手段に要求し、当該除外中区間判定手段の判定結果が監視可能な場合、前記現場状態情報を前記配電系統データベースを参照してマンマシンインターフェースに通知する監視手段と、前記監視手段の現在状態に応じて現場の配電系統を操作するために前記除外中区間判定手段で判定された除外中区間を除いて配電系統を操作する制御手段と、を備えたことを特徴とする。
【００２１】
また、請求項４に係る配電系統自動監視制御システムの発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、配電系統を構成する任意の配電設備に変更が生じた場合、当該配電設備の変更によって生じた変更対象設備情報及び監視・制御に影響する設備を登録した監視・制御影響判定情報から当該設備が監視・制御に影響する設備か否かを判定し抽出する影響設備抽出手段と、前記影響設備抽出手段で抽出された設備に関する情報を記憶保持させる影響設備記憶手段と、この抽出された設備に関する情報が記憶保持された後に、前記変更対象設備情報に基づいて前記配電系統データベースを更新するデータベース更新手段と、この配電系統データベースの更新中に配電系統事故あるいは配電系統状態変化が発生した場合、現場状態情報を要求され、当該現場状態に変化の生じた設備が前記影響設備記憶手段によって記憶された設備であるか否かを判定する除外中設備判定手段と、当該配電設備からの現場状態情報を入力し配電系統データベースを参照して前記除外中設備判定手段で判定された除外中設備を除いて現在の配電系統状態をマンマシンインターフェースに通知する監視手段と、前記監視手段の現在状態に応じて現場の配電系統を操作するために前記除外中設備判定手段で判定された除外中設備を除いて配電系統を操作する制御手段と、を備えたことを特徴とする。
【００２２】
さらに、請求項５に係る配電系統自動監視制御システムの発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、配電系統を構成する任意の配電設備に変更が生じた場合、当該配電設備の変更によって生じた変更対象設備情報及び当該配電設備が変更される前の状態の配電系統データベースから当該配電設備の所属する配電線を抽出する配電線抽出手段と、前記変更対象設備の変更によって生じた変更対象設備情報、監視・制御に影響する設備を登録した監視・制御影響判定情報及び当該配電設備が変更される前の状態の配電系統データベースから当該設備が監視・制御に影響する設備か否かを判定し抽出する影響設備抽出手段と、前記配電線抽出手段にて抽出された配電線及び前記影響設備抽出手段にて抽出された設備から影響配電線のみを抽出する影響配電線抽出手段と、前記影響配電線抽出手段で抽出された配電線を除外中配電線として記憶保持させる配電線記憶手段と、この除外中配電線が記憶保持された後に、前記変更対象設備情報に基づいて前記配電系統データベースの更新を開始するデータベース更新手段と、この配電系統データベースの更新中に配電系統事故あるいは配電系統状態変化が発生した場合、現場状態情報により現場状態に変化の生じた設備の所属する配電線を求め、この求めた配電線が除外中配電線情報で管理されている配電線であるか否かを判定し、除外配電線として管理されていない場合監視可能との判定結果を出力する除外中配電線判定手段と、当該配電設備からの現場状態情報を前記除外中配電線判定手段に要求し、当該除外中配電線判定手段の判定結果が監視可能な場合、前記現場状態情報を前記配電系統データベースを参照してマンマシンインターフェースに通知する監視手段と、前記監視手段の現在状態に応じて現場の配電系統を操作するために前記除外中配電線判定手段で判定された除外中配電線を除いて配電系統を操作する制御手段と、を備えたことを特徴とする。
【００２３】
またさらに、請求項６に係る配電系統自動監視制御システムの発明は、配電系統を構成する配電設備の変更に合わせて配電系統データベースを更新し、この配電系統データベースを参照して配電系統の現在系統状態を監視あるいはその監視結果に基づいて各種配電設備を制御するようにした配電系統自動監視制御システムにおいて、配電系統を構成する任意の配電設備に変更が生じた場合、当該配電設備の変更によって生じた変更対象設備情報及び当該配電設備が変更される前の状態の配電系統データベースから当該配電設備の所属する区間を抽出する区間抽出手段と、前記変更対象の配電設備の変更によって生じた変更対象設備情報、監視・制御に影響する設備を登録した監視・制御影響判定情報及び当該配電設備が変更される前の状態の配電系統データベースから当該設備が監視・制御に影響する設備か否かを判定し抽出する影響設備抽出手段と、前記区間抽出手段にて抽出された区間及び前記影響設備抽出手段にて抽出された設備から影響区間のみを抽出する影響区間抽出手段と、前記影響区間抽出手段で抽出された区間を除外中区間として記憶保持させる区間記憶手段と、この除外中区間が記憶保持された後に、前記変更対象設備情報に基づいて前記配電系統データベースの更新を開始するデータベース更新手段と、この配電系統データベースの更新中に配電系統事故あるいは配電系統状態変化が発生した場合、現場状態情報により現場状態に変化の生じた設備の所属する区間を求め、この求めた区間が除外中区間情報で管理されている区間であるか否かを判定し、除外区間として管理されていない場合監視可能との判定結果を出力する除外中区間判定手段と、当該配電設備からの現場状態情報を前記除外中区間判定手段に要求し、当該除外中区間判定手段の判定結果が監視可能な場合、前記現場状態情報を前記配電系統データベースを参照してマンマシンインターフェースに通知する監視手段と、前記監視手段の現在状態に応じて現場の配電系統を操作するために前記除外中区間判定手段で判定された除外中区間を除いて配電系統を操作する制御手段と、を備えたことを特徴とする。
【発明の効果】
【００２４】
本発明によれば、配電系統を監視あるいはその監視結果に基づいて各種配電設備を制御する配電系統自動監視制御システムにおいて、日常的に行われる配電系統データベース更新中に発生した配電系統事故や系統状態変化を監視あるいは監視制御できるようにしたので、配電系統事故や系統状態変化に対する系統運用者への通知遅れや漏れ、あるいは緊急の操作などができなくなる事態を避けることができ、それによって配電系統事故や系統状態変化に対する系統運用者の迅速な対処が可能になり、系統運用効率の向上や供給信頼度の向上を図ることのできる配電系統自動監視制御システムを提供することができる。
【発明を実施するための最良の形態】
【００２５】
以下、図面を参照して本発明の実施例について説明する。なお、各図を通して、同一部分には同一符号を付け、重複する説明を省略する。また、各図に描かれているＪＩＳ情報処理用流れ図記号は、図１７で説明したようにオンラインデータ記憶部であり、記号中には記憶されるデータ名を記載している。本明細書においては、説明の便宜上それぞれのオンラインデータ記憶部と、そこに記憶されているデータとを区別することなく同じ符号を使用している。
【実施例１】
【００２６】
図１は本発明の実施例１に係る配電系統自動監視制御システムの構成図である。  
本実施例１は、配電系統を構成する配電設備の変更に合わせて配電系統データベースを更新し、この配電系統データベースを参照して配電系統の現在系統状態を監視あるいはその監視結果に基づいて各種配電設備を制御するようにした点は従来の配電系統自動監視制御システムと変るところはない。
【００２７】
しかし、本実施例による配電系統自動監視制御システムは、背景技術のデータベース更新状況３３を用いずに、その代わりに配電線抽出手段１１、配電線記憶手段１２、除外中配電線判定手段１４及び除外中配電線情報記憶部１９を付加することにより、配電系統データベース更新中に除外中配電線以外の配電系統を監視あるいはその監視結果に基づいて各種配電設備を制御することができるように構成したものである。
【００２８】
すなわち、本実施例による配電系統自動監視制御システムは、配電線抽出手段１１、配電線記憶手段１２、データベース更新手段１３、除外中配電線判定手段１４、監視手段１５、制御手段１６の合計６つの手段と、変更対象設備情報１７、配電系統データベース群１８及び除外中配電線情報１９の合計３つのデータと、マンマシンインターフェース装置２０及び配電系統状態情報入出力装置２１の２装置とから構成されている。
【００２９】
図１の配電系統自動監視制御システムにおいて、配電系統を構成する任意の配電設備に変更が生じた場合、当該配電設備の変更に合わせて配電系統自動監視制御システムの配電系統データベースを更新する。しかし、このデータベース更新に際して配電線抽出手段１１は、データベース更新手段１３により配電系統データベース群１８の更新が行われる前に、配電系統の構成を示す配電系統データベース群１８のデータ及び詳細構成を図２に示す変更対象設備情報記憶部１７から取り出した変更対象設備情報に基づいて変更対象設備の所属する配電線を求め、この求めた配電線を配電線記憶手段１２へ通知する。
【００３０】
この変更対象設備情報（１〜ｎ）１７は、図２で示すように、それぞれ工事種別（１：新設、２：撤去、３：変更）、設備種別（１：変電所、２：バンク、３：配電線、４：開閉器、５：区間、６：電柱、７：お客様）及び設備連番（設備種別毎の連番）とから構成されている。
【００３１】
配電線記憶手段１２は、前記配電線抽出手段１１で求めた配電線を除外中配電線情報１９（詳細構成は図３に示す）へ除外中配電線として記憶保存させるように機能する。図３において、除外中配電線情報（１〜ｎ）１９は、それぞれ除外中配電線の設備連番で構成されている。そして、データベース更新手段１３は前記配電線記憶手段１２による除外中配電線情報記憶部１９への除外中配電線の保存が完了した後、配電系統データベース群１８の更新を開始する。
【００３２】
このデータベース更新手段１３による配電系統データベース群１８の更新中に、配電系統事故あるいは配電系統状態変化等が発生した場合、監視手段１５は配電系統状態情報入出力装置２１から入力した現場状態情報を除外中配電線判定手段１４へ要求する。
【００３３】
除外中配電線判定手段１４は、まず要求された現場状態情報から現場状態に変化の生じた配電設備がどこの配電線に所属するのかその所属先の配電線を求め、次に求めた配電線が除外中配電線情報記憶部１９で管理されている配電線であるか否かを判定する。判定の結果、その配電線が除外中配電線情報記憶部１９で管理されていれば監視不可、管理されていなければ監視可能として、その判定結果を監視手段１５へ通知する。
【００３４】
監視手段１５は、除外中配電線判定手段１４の判定結果が監視可能であった場合につき、現場状態情報を配電系統データベース群１８を参照して配電系統状態としてマンマシンインターフェース装置２０の表示画面等を介してオペレータへ通知する。通知を受けたオペレータは、当該表示画面等で配電系統状態を確認し、配電系統の操作が必要と判断した場合にマンマシンインターフェース装置２０から配電系統の操作を要求する。
【００３５】
制御手段１６は、マンマシンインターフェース装置２０からの操作要求を除外中配電線判定手段１４へ送る。除外中配電線判定手段１４は要求された操作より操作対象設備が所属する配電線を求め、次に求めた配電線が除外中配電線情報記憶部１９で管理されている配電線であるか否かを判定する。判定の結果、除外中配電線情報記憶部１９にて管理されていれば制御不可、除外中配電線情報記憶部１９にて管理されていなければ制御可能としてその判定結果を制御手段１６へ通知する。  
制御手段１６は、判定結果が制御可能であった場合にのみ、操作要求を配電系統状態情報入出力装置２１へ要求し、図示しない現場の配電設備を制御する。
【００３６】
以上述べたように、本実施例１によれば配電系統データベース更新中の配電系統事故や系統状態変化に対して、除外中配電線以外の配電系統の監視あるいはその監視結果に基づいて各種配電設備を制御が可能となるので、系統運用者による迅速な対処が期待できる。
しかも、制御手段は操作要求時に除外中配電線判定手段を参照するように構成したので、誤操作を防ぐことができる。
【実施例２】
【００３７】
図４は本発明の実施例２に係る配電系統自動監視制御システムの構成図である。  
本実施例２は、前記実施例１が「除外中配電線」以外の配電系統を監視あるいはその監視結果に基づいて各種配電設備を制御するのに対して、「除外中区間」以外の配電系統を監視あるいはその監視結果に基づいて各種配電設備を制御するようにしたものであり、図１の配電線抽出手段１１、配電線記憶手段１２、除外中配電線判定手段１４及び除外中配電線情報記憶部１９を、それぞれ区間抽出手段１１Ａ、区間記憶手段１２Ａ、除外中区間判定手段１４Ａ及び除外中区間情報記憶部１９Ａに置き換えたものである。
【００３８】
つまり、本実施例２の配電系統自動監視制御システムは、区間抽出手段１１Ａ、区間記憶手段１２Ａ、データベース更新手段１３、除外中区間判定手段１４Ａ、監視手段１５、制御手段１６の合計６つの手段、変更対象設備情報１７、配電系統データベース群１８、除外中区間情報１９Ａの合計３つのデータ及び、マンマシンインターフェース装置２０、配電系統状態情報入出力装置２１の２つの装置により構成されている。
【００３９】
図４において、配電系統を構成する任意の配電設備に変更が生じた場合、当該配電設備の変更に合わせて配電系統自動監視制御システムの配電系統データベースを更新する。しかし、このデータベース更新に際して、区間抽出手段１１Ａは、データベース更新手段１３により配電系統データベース群１８の更新が行われる前に、配電系統の構成を示す配電系統データベース群１８及び変更対象設備情報１７から取り出した変更対象設備情報に基づいて変更対象設備の所属する区間を求め、この求めた区間を区間記憶手段１２Ａへ通知する。
【００４０】
区間記憶手段１２Ａは、区間抽出手段１１Ａで求めた区間に関する情報を図５に詳細構成を示す除外中区間情報記億部１９Ａへ除外中区間として記憶保存させる。図５において、除外中区間情報（１〜ｎ）１９Ａは除外中区間の設備連番が付与されている。
【００４１】
データベース更新手段１３は、区間記憶手段１２Ａによる除外中区間情報記億部１９Ａへの除外中区間の記憶保存が完了した後、配電系統データベース群１８の更新を開始する。  
このデータベース更新手段１３による配電系統データベース群１８の更新中に配電系統事故あるいは配電系統状態変化が発生した場合、監視手段１５は配電系統状態情報入出力装置２１から入手した現場状態情報を除外中区間判定手段１４Ａへ要求する。
【００４２】
除外中区間判定手段１４Ａは、まず入要求された現場状態情報から現場状態に変化の生じた設備がどこの区間に所属するのかその所属先を求め、次に求めた区間が除外中区間情報記憶部１９Ａで管理されている区間情報であるか否かを判定する。そして、求めた区間が除外中区間情報記憶部１９Ａにて管理されている情報であれば監視不可、除外中区間情報記憶部１９Ａにて管理されていない情報であれば監視可能としてその判定結果を監視手段１５へ通知する。
【００４３】
監視手段１５は、除外中区間判定手段１４Ａによる判定結果が監視可能であった場合、前記現場状態情報を配電系統データベース群１８を参照して配電系統状態としてマンマシンインターフェース装置２０の表示器等へ表示する。オペレータは表示画面により配電系統状態を確認し、配電系統の操作が必要と判断した場合にマンマシンインターフェース装置２０から配電系統の操作を要求する。
【００４４】
制御手段１６は、マンマシンインターフェース装置２０より要求された操作を除外中区間判定手段１４Ａへ要求する。除外中区間判定手段１４Ａは要求された操作より操作対象設備が所属する区間を求め、次に求めた区間が除外中区間情報記憶部１９Ａで管理されている区間であるか否かを判定する。そして求めた区間が除外中区間情報記憶部１９Ａにて管理されていれば制御不可、除外中区間情報記憶部１９Ａにて管理されていなければ制御可能として判定結果を制御手段１６へ通知する。  
制御手段１６は、判定結果が制御可能であった場合、操作要求を配電系統状態情報入出力装置２１へ要求し、現場の配電設備を制御する。
【００４５】
以上述べたように、本実施例２によれば配電系統データベース更新中の配電系統事故や系統状態変化に対して、除外中区間以外の配電系統の監視あるいはその監視結果に基づいて各種配電設備を制御が可能となるので、系統運用者による迅速な対処が期待できる。しかも、制御手段は操作要求時に除外中区間判定手段を参照するように構成したので、誤操作を防ぐことができる。
【実施例３】
【００４６】
図６は本発明の実施例３に係る配電系統自動監視制御システムの構成図である。  
本実施例３は、図６で示すように影響設備抽出手段１１Ｂ、影響設備記憶手段１２Ｂ、データベース更新手段１３、除外中設備判定手段１４Ｂ、監視手段１５及び制御手段１６の合計６つの手段と、変更対象設備情報１７、配電系統データベース群１８、除外中設備情報１９Ｂ及び監視・制御影響判定情報２２の合計４つのデータと、マンマシンインターフェース装置２０及び配電系統状態情報入出力装置２１の２つの装置とにより構成されている。
【００４７】
図６において、配電系統を構成する任意の配電設備に変更が生じた場合、当該配電設備の変更に合わせて配電系統自動監視制御システムの配電系統データベースを更新する。しかし、このデータベース更新に際して影響設備抽出手段１１Ｂは、データベース更新手段１３により配電系統データベース群１８の更新が行われる前に、配電系統の構成を示す配電系統データベース群１８と、変更対象設備情報１７より取り出した変更対象設備と、監視・制御影響判定情報２２（図７に詳細構成を示す）から取り出した監視・制御影響判定情報の３つの入力に基づいて、当該変更対象の配電設備が監視・制御に影響を与える設備を求め、求めた設備を影響設備記憶手段１２Ｂへ通知する。
【００４８】
図７において、監視・制御影響判定情報（１〜ｎ）２２は、それぞれ設備種別（１：変電所、２：バンク、３：配電線、４：開閉器、５：区間、６：電柱、７：お客様）および影響情報（０：監視・制御に影響しない、１：監視・制御に影響する）とから構成されている。
【００４９】
一方、影響設備記憶手段１２Ｂは、影響設備抽出手段１１Ｂにて求めた設備に関する情報を図８に詳細構成を示す除外中設備情報記憶部１９Ｂへ除外中設備として記憶保存させる。図８において、除外中設備情報（１〜ｎ）１９Ｂは、それぞれ設備種別（１：変電所、２：バンク、３：配電線、４：開閉器、５：区間、６：電柱、７：お客様）、及び除外中設備種別毎の連番を有している。
【００５０】
データベース更新手段１３は、影響設備記憶手段１２Ｂによる除外中設備情報記憶部１９Ｂへの除外中設備の保存が完了した後、配電系統データベース群１８の更新を開始する。  
このデータベース更新手段１３による配電系統データベース群１８の更新中に配電系統事故あるいは配電系統状態変化が発生した場合、監視手段１５は配電系統状態情報入出力装置２１から入力した現場状態情報を除外中設備判定手段１４Ｂへ要求する。
【００５１】
除外中設備判定手段１４Ｂは、まず要求された現場状態情報より現場状態に変化の生じた設備が除外中設備情報記憶部１９Ｂで管理されている設備であるか否かを判定する。この判定の結果、除外中設備情報記憶部１９Ｂにて管理されていれば監視不可、除外中設備情報記憶部１９Ｂにて管理されていなければ監視可能としてその判定結果を監視手段１５へ通知する。
【００５２】
監視手段１５は、除外中設備判定手段１４Ｂの判定結果が監視可能であった場合に現場状態情報を配電系統データベース群１８を参照して配電系統状態としてマンマシンインターフェース装置２０の表示画面等を介してオペレータへ通知する。
【００５３】
通知を受けたオペレータは、当該表示画面等ｈで配電系統状態を確認し、配電系統の操作が必要と判断した場合にマンマシンインターフェース装置２０から配電系統の操作を要求する。
【００５４】
制御手段１６は、マンマシンインターフェース装置２０より要求された操作を除外中設備判定手段１４Ｂへ要求する。除外中設備判定手段１４Ｂは要求された操作より操作対象設備が除外中設備情報記憶部１９Ｂで管理されている設備であるか否かを判定する。求めた設備が除外中設備情報記憶部１９Ｂにて管理されていれば制御不可、除外中設備情報記憶部１９Ｂにて管理されていなければ制御可能としてその判定結果を制御手段１６へ通知する。制御手段１６は、判定結果が制御可能であった場合に操作要求を配電系統状態情報入出力装置２１へ要求し、現場の配電設備を制御する。
【００５５】
以上述べたように本実施例３によれば、除外中設備以外の配電系統の監視あるいはその監視結果に基づいて各種配電設備の制御が可能となるので、配電系統データベース更新中の配電系統事故や系統状態変化に対して除外中設備を除き系統運用者による迅速な対処が期待できる。  
しかも、制御手段は操作要求時に除外中区間判定手段を参照するように構成したので、誤操作を防ぐことができる。
【実施例４】
【００５６】
図９は本発明の実施例４に係る配電系統自動監視制御システムの構成図である。  
本実施例４による配電系統自動監視制御システムは、配電線抽出手段１１、影響設備抽出手段１１Ｂ、影響配電線抽出手段１１Ｃ、配電線記憶手段１２、データベース更新手段１３、除外中配電線判定手段１４、監視手段１５及び制御手段１６の合計８つの手段と、変更対象設備情報１７、配電系統データベース群１８、除外中配電線情報１９及び監視・制御影響判定情報２２の合計４つのデータと、マンマシンインターフェース装置２０及び配電系統状態情報入出力装置２１の２つの装置とから構成することにより、配電系統データベース更新中に該当配電線の抽出及び影響設備の抽出にて影響配電線を抽出し、除外中配電線以外の配電系統を監視あるいはその監視結果に基づいて各種配電設備を制御することができるようにしたものである。
【００５７】
図９において、配電系統を構成する任意の配電設備に変更が生じた場合、当該配電設備の変更に合わせて配電系統自動監視制御システムの配電系統データベースの更新を行う。この更新に際して、配電系統データベース群１８をデータベース更新手段１３にて更新する前に、配電線抽出手段１１は、配電系統の構成を示す配電系統データベース群１８と、変更対象設備情報１７より取り出した変更対象設備とをもとに、変更対象設備の所属する配電線を求め、求めた配電線を影響配電線抽出手段１１Ｃへ通知する。
【００５８】
この配電線抽出手段１１の動作と同時に影響設備抽出手段１１Ｂは、配電系統データベース群１８と変更対象設備情報１７より取り出した変更対象設備と監視・制御影響判定情報２２より取り出した監視・制御影響判定情報とをもとに、変更対象設備が監視・制御に影響する設備を抽出し、影響配電線抽出手段１１Ｃへ通知する。
【００５９】
影響配電線抽出手段１１Ｃは、影響設備抽出手段１１Ｂにて抽出した設備の所属する配電線を求め、求めた配電線が配電線抽出手段１１で抽出された配電線に存在しない場合は該当配電線を配電線抽出手段１１で抽出された配電線より削除とすることで影響配電線のみを求める。
【００６０】
配電線記憶手段１２は、影響配電線抽出手段１１Ｃにて求めた配電線を除外中配電線情報記憶部１９へ除外中配電線として記憶保存する。その後、データベース更新手段１３にて配電系統データベース群１８の更新を開始する。このデータベース更新手段１３により配電系統データベース群１８を更新中に、配電系統事故あるいは配電系統状態変化が発生した場合、配電系統状態情報入出力装置２１からの現場状態情報を入力した監視手段１５より、現場状態情報を除外中配電線判定手段１４へ要求する。
【００６１】
除外中配電線判定手段１４は要求された現場状態情報より現場状態に変化の生じた設備が所属する配電線を求め、求めた配電線が除外中配電線情報記憶部１９で管理されている配電線であるか否かを判定する。この判定の結果、除外中配電線情報記憶部１９にて管理されていれば監視不可、除外中配電線情報記憶部１９にて管理されていなければ監視可能としてその判定結果を監視手段１５へ通知する。
【００６２】
監視手段１５は、判定結果が監視可能であった場合に現場状態情報を配電系統データベース群１８を参照して配電系統状態としてマンマシンインターフェース装置２０を介してオペレータへ通知する。通知を受けたオペレータは、マンマシンインターフェース装置２０にて配電系統状態を確認し、配電系統の操作が必要と判断した場合にマンマシンインターフェース装置２０から配電系統の操作を要求する。  
制御手段１６は、マンマシンインターフェース装置２０より要求された操作を除外中配電線判定手段１４へ要求する。
【００６３】
除外中配電線判定手段１４は要求された操作より操作対象設備が所属する配電線を求め、求めた配電線が除外中配電線情報記憶部１９で管理されている配電線であるか否かを判定する。除外中配電線情報記憶部１９にて管理されていれば制御不可、除外中配電線情報記憶部１９にて管理されていなければ制御可能として判定結果を制御手段１６へ通知する。  
制御手段１６は、判定結果が制御可能であった場合に操作要求を配電系統状態情報入出力装置２１へ要求し配電設備を制御する。
【００６４】
以上述べたように、本実施例４によれば、監視あるいはその監視結果に基づいて各種配電設備の制御に影響する設備の所属する除外中配電線を除き監視あるいはその監視結果に基づいて各種配電設備の制御が可能となるので、配電系統データベース更新中の配電系統事故や系統状態変化に対して除外中配電線を除き系統運用者は迅速な対処ができる。  
しかも、制御手段は操作要求時に除外中区間判定手段を参照するように構成したので、誤操作を防ぐことができる。
【実施例５】
【００６５】
図１０は本発明の実施例５に係る配電系統自動監視制御システムの構成図である。  
本実施例５は、図１０において、区間抽出手段１１Ａ、影響設備抽出手段１１Ｂ、影響区間抽出手段１１Ｄ、区間記憶手段１２Ａ、データベース更新手段１３、除外中区間判定手段１４Ａ、監視手段１５及び制御手段１６の合計８つの手段、変更対象設備情報１７、配電系統データベース群１８、除外中区間情報記憶部１９Ａ及び監視・制御影響判定情報２２の合計４つのデータ、マンマシンインターフェース装置２０及び配電系統状態情報入出力装置２１の２つの装置により構成され、配電系統データベース更新中に該当区間の抽出及び影響設備の抽出にて影響区間を抽出し除外中区間以外の配電系統を監視あるいはその監視結果に基づいて現場の各種配電設備を制御するようにしたものである。
【００６６】
図１０において、配電系統を構成する任意の配電設備に変更が生じた場合、当該配電設備の変更に合わせて配電系統自動監視制御システムの配電系統データベースの更新が行われる。そのデータベース更新の際、区間抽出手段１１Ａは、データベース更新手段１３により配電系統データベース群１８を更新する前に、配電系統の構成を示す配電系統データベース群１８と、変更対象設備情報１７より取り出した変更対象設備とをもとに、変更対象設備の所属する区間を求め、この求めた区間を影響区間抽出手段１１Ｄへ通知する。
【００６７】
影響設備抽出手段１１Ｂは、この区間抽出手段１１Ａの動作と同時に配電系統データベース群１８と、変更対象設備情報１７より取り出した変更対象設備と、監視・制御影響判定情報２２より取り出した監視・制御影響判定情報とをもとに、変更対象設備が監視・制御に影響する設備を抽出し、影響区間抽出手段１１Ｄへ通知する。
【００６８】
影響区間抽出手段１１Ｄは、影響設備抽出手段１１Ｂにて抽出した設備の所属する区間を求め、求めた区間が区間抽出手段１１Ａで抽出された区間に存在しない場合は該当区間を区間抽出手段１１Ａで抽出された区間より削除とすることで影響区間のみを求める。区間記憶手段１２Ａは、影響区間抽出手段１１Ｄにて求めた区間の情報を除外中区間情報記憶部１９Ａへ除外中区間として記憶保存させる。
【００６９】
データベース更新手段１３は区間記憶手段１２Ａによる除外中区間情報記憶部１９Ａへの除外中区間の記憶保存が完了した後、配電系統データベース群１８の更新を開始する。
このデータベース更新手段１３により配電系統データベース群１８の更新を行っているときに、配電系統事故あるいは配電系統状態変化が発生した場合、監視手段１５は配電系統状態情報入出力装置２１から入力した現場状態情報を除外中区間判定手段１４Ａへ要求する。
【００７０】
除外中区間判定手段１４Ａは、まず要求された現場状態情報から現場状態に変化の生じた設備の所属する区間を求め、次に求めた区間が除外中区間情報記憶部１９Ａで管理されている区間であるか否かを判定する。この判定の結果、除外中区間情報記憶部１９Ａにて管理されていれば監視不可、除外中区間情報記憶部１９Ａにて管理されていなければ監視可能としてその判定結果を監視手段１５へ通知する。
【００７１】
監視手段１５は、判定結果が監視可能であった場合、現場状態情報を配電系統データベース群１８を参照して配電系統状態としてマンマシンインターフェース装置２０に送り、オペレータへ通知する。
【００７２】
通知を受けたオペレータは、マンマシンインターフェース装置２０にて配電系統状態を確認し、配電系統の操作が必要と判断した場合にマンマシンインターフェース装置２０にて配電系統の操作を要求する。
【００７３】
制御手段１６は、マンマシンインターフェース装置２０より要求された操作を除外中区間判定手段１４Ａへ要求する。除外中区間判定手段１４Ａは要求された操作より操作対象設備が所属する区間を求め、求めた区間が除外中区間情報記憶部１９Ａで管理されている区間であるか否かを判定する。判定の結果、除外中区間情報記憶部１９Ａにて管理されていれば制御不可、除外中区間情報記憶部１９Ａにて管理されていなければ制御可能としてその判定結果を制御手段１６へ通知する。  
制御手段１６は、判定結果が制御可能であった場合、操作要求を配電系統状態情報入出力装置２１へ要求し、配電設備を制御する。
【００７４】
以上述べたように、本実施例５によれば配電系統データベース更新中の配電系統事故や系統状態変化に対して除外中区間以外の配電系統の監視あるいはその監視結果に基づいて各種配電設備を制御が可能となるので、系統運用者による迅速な対処が期待できる。  
しかも、制御手段は操作要求時に除外中区間判定手段を参照するように構成したので、誤操作を防ぐことができる。
【実施例６】
【００７５】
図１１は本発明の実施例６に係る配電系統自動監視制御システムの構成図である。  
本実施例６は、配電系統データベース更新中に該当配電線の抽出及び影響設備の抽出にて影響配電線を抽出し、除外中配電線以外の配電系統を監視あるいはその監視結果に基づいて現場の各種配電設備を制御し、配電系統データベース更新中の除外中配電線に対する監視あるいはその監視結果に基づく制御を抽出し、配電系統データベース更新後に監視あるいはその監視結果に基づく制御可能な情報を解析し、除外中配電線に監視あるいはその監視結果に基づく各種配電設備を制御することを可能にするものであって、具体的な構成は以下述べるとおりである。
【００７６】
図１１は本実施例６の構成図であるが、一点鎖線枠内は図９の構成図と同じ手段、データ及び装置を内包しているが、このうち本実施例６に特に関係するデータベース更新手段１３、監視手段１５、制御手段１６及び除外中配電線情報記憶部１９のみを図示し、他の手段、データ、装置は割愛している。
【００７７】
そして、本実施例６で新たに設けた手段、データは次の通りである。すなわち、除外中配電線監視情報抽出手段２３、除外中配電線監視情報記憶手段２４、除外中配電線監視解析手段２５、除外中配電線監視手段２６、除外中配電線制御情報抽出手段２７、除外中配電線制御情報記憶手段２８、除外中配電線制御解析手段２９、除外中配電線制御手段３０の合計８つの手段と、除外中配電線監視情報記憶部３１、除外中配電線制御情報３２の２つのデータを新たに付加したものである。
【００７８】
図１１において、監視手段１５は監視可否判定結果が監視不可であった場合に除外中配電線監視情報抽出手段２３へ監視情報を通知する。除外中配電線監視情報抽出手段２３は除外中配電線情報記憶部１９の除外中配電線情報により監視不可配電線に対する監視であることを確認し、監視不可情報を除外中配電線監視情報記憶手段２４へ通知する。除外中配電線監視情報記憶手段２４は通知された監視不可情報を図１２に詳細構成を示す除外中配電線監視情報記憶部３１へ記憶保存させる。
【００７９】
図１２において、除外中配電線監視情報（１〜ｎ）３１は、それぞれ設備種別（１：変電所、２：バンク、３：配電線、４：開閉器）、設備連番（監視不可能配電線に所属する状変設備連番）、状変方向（０：ＯＦＦ、１：ＯＮ）及び状変日時を有している。
【００８０】
前記データベース更新手段１３は配電系統データベース群１８を更新し、配電系統データベース群１８の更新終了を除外中配電線監視解析手段２５へ通知する。この除外中配電線監視解析手段２５は除外中配電線監視情報記憶部３１の除外中配電線監視情報により配電系統データベース群１８更新中に除外中配電線に発生した監視情報を解析し、除外中配電線監視手段２６へ監視情報を通知する。
【００８１】
除外中配電線監視手段２６は通知された監視情報を監視手段１５へ通知して配電系統データベース群１８更新中に除外中配電線に発生した監視情報を用いて配電系統を監視する。また、図１１の構成図において、制御手段１６は制御可否判定結果が制御不可であった場合に除外中配電線制御情報抽出手段２７へ制御情報を通知する。
【００８２】
一方、除外中配電線制御情報抽出手段２７は除外中配電線情報記憶部１９の除外中配電線情報より制御不可配電線に対する制御情報であることを確認し、制御不可情報として除外中配電線制御情報記憶手段２８へ通知する。
【００８３】
除外中配電線制御情報記憶手段２８は通知された制御不可情報を図１３に詳細構成を示す除外中配電線制御情報記憶部３２へ記憶保存させる。この除外中配電線制御情報（１〜ｎ）３２は、前記図１２の除外中配電線監視情報（１〜ｎ）３１と同様に構成されており、異なる点は監視か制御の違いしかない。
【００８４】
すなわち、除外中配電線制御情報（１〜ｎ）３２は、図１３で示すように、それぞれ設備種別（１：変電所、２：バンク、３：配電線、４：開閉器）、設備連番（監視不可能配電線に所属する状変設備連番）、状変方向（０：ＯＦＦ、１：ＯＮ）及び状変日時から構成されている。
【００８５】
データベース更新手段１３は配電系統データベース群１８を更新し、配電系統データベース群１８の更新終了を除外中配電線制御解析手段２９へ通知する。除外中配電線制御解析手段２９は除外中配電線制御情報記憶部３２の除外中配電線制御情報により配電系統データベース群１８更新中に除外中配電線に発生した制御情報を解析し、除外中配電線制御手段３０へ制御情報を通知する。  
除外中配電線制御手段３０は通知された制御情報を制御手段１６へ通知して配電系統データベース群１８更新中に除外中配電線に発生した制御情報を用いて配電系統を制御する。
【００８６】
以上述べたように、本実施例６によれば、実施例４の奏する効果に加え、除外中配電線に対する監視あるいはその監視結果に基づいて各種配電設備の制御情報を記憶しておき配電系統データベース更新が終了した後に記憶した監視及び制御情報を解析して処理することが可能となるので、配電系統データベース更新中の配電系統事故や系統状態変化に対して系統運用者による迅速な対処が期待できる。  
しかも、制御手段は操作要求時に除外中区間判定手段を参照するように構成したので、誤操作を防ぐことができる。
【実施例７】
【００８７】
図１４は本発明の実施例７に係る配電系統自動監視制御システムの構成図である。  
本実施例７は、配電系統データベース更新中に該当区間の抽出及び影響設備の抽出にて影響区間を抽出し、除外中区間以外の配電系統を監視及び制御し、配電系統データベース更新中の除外中区間に対する監視及び制御を抽出し、配電系統データベース更新後に監視及び制御可能な情報を解析して除外中区間に監視及び制御することを可能にするものであって、具体的な構成は以下述べるとおりである。
【００８８】
図１１は本実施例の構成図であるが、一点鎖線枠内は図１０の構成図と同じ手段、装置及び類似するデータを内包しているが、このうち本実施例に特に関係するデータベース更新手段１３、監視手段１５、制御手段１６及び除外中区間情報記憶部１９Ａのみを示し、他は割愛している。
【００８９】
そして、本実施例７で新たに設けた手段、データは次の通りである。すなわち、除外中区間監視情報抽出手段２３Ａ、除外中区間監視情報記憶手段２４Ａ、除外中区間監視解析手段２５Ａ、除外中区間監視手段２６Ａ、除外中区間制御情報抽出手段２７Ａ、除外中区間制御情報記憶手段２８Ａ、除外中区間制御解析手段２９Ａ、除外中区間制御手段３０Ａの合計８つの手段と、除外中区間監視情報記憶部３１Ａ、除外中区間制御情報３２Ａの２つのデータとを新たに付加したものである。
【００９０】
図１４において、監視手段１５は監視可否判定結果が監視不可であった場合に除外中区間監視情報抽出手段２３Ａへ監視情報を通知する。除外中区間監視情報抽出手段２３Ａは除外中区間情報記憶部１９Ａの除外中区間情報により監視不可区間に対する監視であることを確認し、監視不可情報として除外中区間監視情報記憶手段２４Ａへ通知する。
【００９１】
除外中区間監視情報記憶手段２４Ａは通知された監視不可情報を図１５に詳細構成を示す除外中区間監視情報記憶部３１Ａへ保存する。図１５において、除外中区間監視情報（１〜ｎ）３１Ａは、前記図１２と同様に構成されており、異なっている点は、図１２が除外中配電線監視情報であるのに対して、図１５の場合は除外中区間監視情報となっている点であるので、説明は省略する。
【００９２】
データベース更新手段１３は配電系統データベース群１８を更新し、配電系統データベース群１８の更新終了を除外中区間監視解析手段２５Ａへ通知する。除外中区間監視解析手段２５Ａは除外中区間監視情報記憶部３１Ａの除外中区間監視情報により配電系統データベース群１８更新中に除外中区間に発生した監視情報を解析し、除外中区間監視手段２６Ａへ監視情報を通知する。
【００９３】
除外中区間監視手段２６Ａは通知された監視情報を監視手段１５へ通知して配電系統データベース群１８更新中に除外中区間に発生した監視情報を用いて配電系統を監視する。また、実施例５の構成図（図１０）において、制御手段１６は制御可否判定結果が制御不可であった場合に除外中区間制御情報抽出手段２７Ａへ制御情報を通知する。
【００９４】
除外中区間制御情報抽出手段２７Ａは除外中区間情報記憶部１９Ａの除外中区間情報より制御不可区間に対する制御情報であることを確認し、制御不可情報として除外中区間制御情報記憶手段２８Ａへ通知する。これを受けて除外中区間制御情報記憶手段２８Ａは通知された制御不可情報を図１６に詳細構成を示す除外中区間制御情報記憶部３２Ａへ記憶保存させる。除外中区間制御情報（１〜ｎ）２８Ａの構成も前記図１３と実質的に同じなので説明を省略する。
【００９５】
前記データベース更新手段１３は配電系統データベース群１８を更新し、配電系統データベース群１８の更新終了を除外中区間制御解析手段２９Ａへ通知する。除外中区間制御解析手段２９Ａは除外中区間制御情報記憶部３２Ａの除外中区間制御情報により配電系統データベース群１８更新中に除外中区間に発生した制御情報を解析し除外中区間制御手段３０Ａへ制御情報を通知する。  
除外中区間制御手段３０Ａは通知された制御情報を制御手段１６へ通知して配電系統データベース群１８更新中に除外中区間に発生した制御情報を用いて配電系統を制御する。
【００９６】
以上述べたように、本実施例によれば、実施例５の奏する効果に加え、除外中区間に対する監視あるいはその監視結果に基づいて各種配電設備を制御情報を記憶しておき配電系統データベース更新が終了した後に記憶した監視及び制御情報を解析して処理することが可能となるので、配電系統データベース更新中の配電系統事故や系統状態変化に対して系統運用者による迅速な対処が期待できる。  
しかも、制御手段は操作要求時に除外中区間判定手段を参照するように構成したので、誤操作を防ぐことができる。
【００９７】
（変形例）
以上述べた実施例１乃至実施例７は、配電系統の制御及び監視係るものであるが、制御に関する機能を削除して監視のみ行うように構成しても良い。
【図面の簡単な説明】
【００９８】
【図１】本発明の実施例１に係る配電系統自動監視制御システムの構成図。
【図２】変更対象設備情報構成図。
【図３】除外中配電線情報構成図。
【図４】本発明の実施例２に係る配電系統自動監視制御システムの構成図。
【図５】除外中区間情報構成図。
【図６】本発明の実施例３に係る配電系統自動監視制御システムの構成図。
【図７】監視・制御影響判定情報構成図。
【図８】除外中設備情報構成図。
【図９】本発明の実施例４に係る配電系統自動監視制御システムの構成図。
【図１０】本発明の実施例５に係る配電系統自動監視制御システムの構成図。
【図１１】本発明の実施例６に係る配電系統自動監視制御システムの構成図。
【図１２】除外中配電線監視情報構成図。
【図１３】除外中配電線制御情報構成図。
【図１４】本発明の実施例７に係る配電系統自動監視制御システムの構成図。
【図１５】除外中区間監視情報構成図。
【図１６】除外中区間制御情報構成図。
【図１７】背景技術のシステム構成図。
【符号の説明】
【００９９】
１１…配電線抽出手段、１１Ｂ…影響設備抽出手段、１１Ｃ…影響配電線抽出手段、１１Ｄ…影響区間抽出手段、１２…配電線記憶手段、１２Ａ…区間記憶手段、１２Ｂ…影響設備記憶手段、１３…データベース更新手段、１４…除外配電線判定手段、１４Ａ…除外区間判定手段、１４Ｂ…除外中設備判定手段、１５…監視手段、１６…制御手段、１７…変更対象設備情報、１８…配電系統データベース群、１９…除外中配電線情報、１９Ａ…除外中区間情報、１９Ｂ…除外中設備情報、２０…マンマシンインターフェース装置、２１…配電系統状態情報入出力装置、２２…監視・制御影響判定情報、２３…除外中配電線監視情報抽出手段、２３Ａ…除外中区間監視情報抽出手段、２４…除外中配電線監視情報記憶手段、２４Ａ…除外中区間監視情報記憶手段、２５…除外中配電線監視解析手段、２５Ａ…除外中区間監視解析手段、２６…除外中配電線監視手段、２６Ａ…除外中区間監視手段、２７…除外中配電線制御情報抽出手段、２７Ａ…除外中区間制御情報抽出手段、２８…除外中配電線制御情報記憶手段、２８Ａ…除外中区間制御情報記憶手段、２９…除外中配電線制御解析手段、２９Ａ…除外中区間制御解析手段、３０…除外中配電線制御手段、３０Ａ…除外中区間制御手段、３１…除外中配電線監視情報、３１Ａ…除外中区間監視情報、３２…除外中配電線制御情報、３２Ａ…除外中区間制御情報、３３…データベース更新状況。
【図１】
2005102448.tif 000003
【図２】
2005102448.tif 000004
【図３】
2005102448.tif 000005
【図４】
2005102448.tif 000006
【図５】
2005102448.tif 000007
【図６】
2005102448.tif 000008
【図７】
2005102448.tif 000009
【図８】
2005102448.tif 000010
【図９】
2005102448.tif 000011
【図１０】
2005102448.tif 000012
【図１１】
2005102448.tif 000013
【図１２】
2005102448.tif 000014
【図１３】
2005102448.tif 000015
【図１４】
2005102448.tif 000016
【図１５】
2005102448.tif 000017
【図１６】
2005102448.tif 000018
【図１７】
2005102448.tif 000019